(57)【要約】【課題】  本発明は、粘着剤の選定が容易であると共に、パッケージ内から取り除いたキャンペーンラベルに粘着力が残存せず、きれいに管理することができるキャンペーンラベルを提供することを課題とする。【解決手段】第１の実施の形態によれば、引換券となる第１のラベル片３１と控え券となる第２のラベル片３２とを疑似接着層１１によって接合すると共に、第２のラベル片３２の一部に粘着剤１２が塗布された貼着部２０と、第１のラベル片３１に当たりを示す当たり表記１４が印字された当たり券部３０とを形成し、貼着部２０と当たり券部３０との境界にミシン目１５を形成する。【選択図】        図１
2010032710.tif 000002
【特許請求の範囲】
【請求項１】
引換券と控え券とで構成され、パッケージ内に貼着されるキャンペーンラベルであって、
前記引換券となる第１のラベル片と前記控え券となる第２のラベル片とが疑似接着層によって接合されていると共に、前記第２のラベル片の一部に粘着剤が塗布された貼着部と、前記第１のラベル片に当たりを示す当たり表記が印字された当たり券部とが形成され、
前記貼着部と前記当たり券部との境界には、ミシン目が形成されていることを特徴とするキャンペーンラベル。
【請求項２】
前記貼着部と前記当たり券部との境界は、角度を変えて繋がっている複数の直線状であることを特徴とする請求項１記載のキャンペーンラベル。
【発明の詳細な説明】
【技術分野】
【０００１】
本発明は、販売促進キャンペーンに用いられるキャンペーンラベルに関し、特にパッケージ内に貼着されるキャンペーンラベルに関する。
【背景技術】
【０００２】
従来、商品販促用のキャンペーンとして、当選すると金品に交換することができるくじを用いることが行われており、このようなキャンペーンでは、商品にくじ付きのキャンペーンラベルを貼着するのが一般的である。商品に貼着するキャンペーンラベルとしては、「当たり」もしくは「はずれ」を表示したキャンペーンラベルを商品全ての表面に貼着する場合と（例えば、特許文献１参照）、商品のパッケージ内等に「当たり」を表示したキャンペーンラベルのみを貼着する場合がある。
【０００３】
「当たり」もしくは「はずれ」を表示したキャンペーンラベルを商品全ての表面に貼着する場合には、めくったり、削ったりしないと「当たり」もしくは「はずれ」の表示を視認できないように当落の表示を遮蔽する特殊な加工を施す必要があると共に、商品の全てにキャンペーンラベルを貼着しなければならないため、コストおよび手間がかかり、また、商品販促用のキャンペーンの締め切りに合わせて流通する商品を管理しなければならない等の管理上の煩雑さがある。これに対し、商品のパッケージ内に「当たり」を表示したキャンペーンラベルのみを貼着する場合には、表面からキャンペーンラベルを視認することができないため、販促性は若干低くなるものの、表示を遮蔽する特殊な加工を施す必要がなく、長期にわたるキャンペーンや、定番となっているキャンペーン等では、コストや手間がかからず流通する商品の管理も容易であるという利点がある。
【０００４】
しかしながら、従来技術のように、商品のパッケージ内にキャンペーンラベルを貼着する場合には、キャンペーンラベルを貼着する粘着剤は、パッケージ内に脱落しない強粘性と、且つ簡単に剥がすことかできる弱粘性との相反する機能を実現させなくてはならないため、粘着剤の選定が困難であると共に、剥がしたキャンペーンラベルに粘着力が残存してしまうため、剥がしたキャンペーンラベルをきれいに剥がして管理することが困難であるという問題点があった。
【０００５】
【特許文献１】特開２００２−２８７６３８号公報
【発明の開示】
【発明が解決しようとする課題】
【０００６】
本発明は斯かる問題点に鑑みてなされたものであり、その目的とするところは、粘着剤の選定が容易であると共に、パッケージ内から取り除いたキャンペーンラベルに粘着力が残存せず、きれいに管理することができるキャンペーンラベルを提供する点にある。
【課題を解決するための手段】
【０００７】
本発明は上記課題を解決すべく、以下に掲げる構成とした。
請求項１記載の発明の要旨は、引換券と控え券とで構成され、パッケージ内に貼着されるキャンペーンラベルであって、前記引換券となる第１のラベル片と前記控え券となる第２のラベル片とが疑似接着層によって接合されていると共に、前記第２のラベル片の一部に粘着剤が塗布された貼着部と、前記第１のラベル片に当たりを示す当たり表記が印字された当たり券部とが形成され、前記貼着部と前記当たり券部との境界には、ミシン目が形成されていることを特徴とするキャンペーンラベルに存する。
また請求項２記載の発明の要旨は、前記貼着部と前記当たり券部との境界は、角度を変えて繋がっている複数の直線状であることを特徴とする請求項１記載のキャンペーンラベルに存する。
【発明の効果】
【０００８】
本発明のキャンペーンラベルは、引換券となる第１のラベル片と控え券となる第２のラベル片とを疑似接着層によって接合すると共に、第２のラベル片の一部に粘着剤が塗布された貼着部と、第１のラベル片に当たりを示す当たり表記が印字された当たり券部とを形成し、貼着部と当たり券部との境界にミシン目を形成するように構成することにより、
当たり券部を取り除く際に、パッケージ内に貼着された貼着部を剥がす必要がないため、粘着剤の選定が容易であると共に、当たり券部は、パッケージ内に貼着されていないため、パッケージ内から取り除いたキャンペーンラベルに粘着力が残存せず、きれいに管理することができるという効果を奏する。
【０００９】
さらに、本発明のキャンペーンラベルは、貼着部と当たり券部との境界を、角度を変えて繋がっている複数の直線状に構成することにより、めくる方向に左右されることなく、パッケージに貼着されている貼着部からの当たり券部の切り離しを容易に行うことができるという効果を奏する。
【発明を実施するための最良の形態】
【００１０】
以下、本発明の実施の形態を図面に基づいて詳細に説明する。
【００１１】
（第１の実施の形態）
図１は、本発明に係るキャンペーンラベルの第１の実施の形態の構成を示す図であり、（ａ）は、表面側から見た平面図であり、（ｂ）は、（ａ）に示すＸ−Ｙ断面図である。図２は、本発明に係るキャンペーンラベルの第１の実施の形態をパッケージ内に貼着した状態を示す斜視図である。図３は、図１に示す貼着部と当たり券部とが切り離された状態を示す図で有り、（ａ）は、表面側から見た平面図であり、（ｂ）は、（ａ）に示すＸ−Ｙ断面図である。図４は、図３に示す当たり券を開いた状態を示す図であり、（ａ）は、当たり券の表面および裏面を示す平面図であり、（ｂ）は、疑似接着層によって接合されていた面を示す平面図である。
【００１２】
第１の実施の形態のキャンペーンラベル１０は、図１を参照すると、紙基材やフィルム基材等の、折り返されて疑似接着層１１によって接合されたラベル基材において、裏面に粘着剤１２が塗布され、当該粘着剤１２に剥離基材１３が仮着されている貼着部２０と、販促用キャンペーンの「当たり」を示す表記（以下、当たり表記１４と称す）が表面に印刷されている当たり券部３０とが形成され、貼着部２０と当たり券部３０との境界には、ミシン目１５が形成されている。
【００１３】
疑似接着層１１としては、例えばアクリル酸エステルワニス、ポリアミドワニス等の樹脂含有液体ワニスを用いることができ、例えば強接着力を持つ第１樹脂層と、弱接着力を持つ第２樹脂層で構成される。ラベル基材を折り返して接合するには、折り返して対向する一方の面に第１樹脂層を形成する樹脂含有液体ワニスを予めコーティングして乾燥させ、次に、第１樹脂層に、第２樹脂層を形成する樹脂含有液体ワニスをコーティングして乾燥する前に折り返して対向する他方の面を貼り付ける。これにより、折り返したラベル基材は、剥離性を有すると共に剥離すると接着力がなくなる。また、擬似接着層１１としては、例えばポリエチレン、ポリプロピレンなどの熱可塑性樹脂からなるものや圧着糊と呼ばれるもの等を用いることができる。
【００１４】
粘着剤１２としては、例えばエマルジョン系、ソルベント系、ホットメルト系のように任意の粘着剤が使用可能であると共に、素材も、アクリル系、ゴム系など任意である。なお、貼着部２０は、後述するように、剥がすことを想定していないため、パッケージ内への脱落を防止するために、強粘タイプを用いると良い。
【００１５】
第１の実施の形態では、折り返したラベル基材の折り返し線Ａ側に当たり券部３０が、解放端Ｂ側に貼着部２０がそれぞれ配置されており、当たり券部３０は、折り返し線Ａにミシン目１６が形成され、疑似接着層１１を挟んで表面側に位置し、当たり表記１４が印刷されている第１のラベル片３１と、裏面側に位置する第２のラベル片３２とで構成されている。なお、第１のラベル片３１と第２のラベル片３２との解放端側の一部が、裏面、すなわち第２のラベル片３２に粘着剤１２が塗布された貼着部２０となっている。
【００１６】
キャンペーンラベル１０は、貼着部２０の裏面に塗布されている粘着剤１２から剥離基材１３を剥がし、図２（ａ）に示すように、パッケージ４０を開けたときに、当たり券部３０の表面に印刷されている当たり表記１４が見える位置、例えばパッケージ４０内の側面に、貼着部２０の裏面に塗布された粘着剤１２が貼着され、且つ当たり券部３０が貼着されていない状態でキャンペーンラベル１０が貼着される。
【００１７】
これにより、ユーザは、パッケージ４０を開けたときに当選を認識し、貼着されているキャンペーンラベル１０を剥がす動作が行われることになる。ユーザがキャンペーンラベル１０を剥がす動作を行う場合には、当たり券部３０がパッケージ４０に貼着されていないため、当たり券部３０が把持され、パッケージ４０に貼着されている貼着部２０との境界に形成されているミシン目１５に外力が加わって、図２（ｂ）に示すように、当たり券部３０がミシン目１５で切り取られる。なお、ミシン目１５の箇所が切取線であることを示す表記を、貼着部２０もしくは当たり券部３０の表面に印刷するようにしても良い。
【００１８】
図３には、ミシン目１５で、パッケージ４０に貼着された状態の貼着部２０と、当たり券部３０とが切り離された状態が示されており、切り離された当たり券部３０には、粘着力が残存していないため、きれいに管理することができる。
【００１９】
また、当たり券部３０の第１のラベル片３１には、切り欠きが形成されており、図３（ａ）に矢印で示す向きに、切り欠き部分から第１のラベル片３１をめくることで、簡単に疑似接着層１１を剥離させ、図４に示すように、折り返されていた当たり券部３０を第１のラベル片３１と第２のラベル片３２とに開くことができるようになっている。
【００２０】
第１のラベル片３１は、ミシン目１６で第２のラベル片３２と切り離し、賞品と引き換える引き換え券であり、図４（ａ）に示すように、当たり券部３０の表面に対応する面には、当たり表記１４が印刷されていると共に、図４（ｂ）に示すように、疑似接着層１１によって接合されていた面には、賞品と引き換える際の注意事項等の案内表記１７が印刷されている。また、第２のラベル片３２は、第１のラベル片３１と当たった賞品とを引き換えるまでの間、ユーザが保管しておく控え券であり、図４（ｂ）に示すように、疑似接着層１１によって接合されていた面には、当たった賞品名や第１のラベル片３１の送り先等の案内表記１７が印刷されている。
【００２１】
以上説明したように、第１の実施の形態によれば、引換券となる第１のラベル片３１と控え券となる第２のラベル片３２とを疑似接着層１１によって接合すると共に、第２のラベル片３２の一部に粘着剤１２が塗布された貼着部２０と、第１のラベル片３１に当たりを示す当たり表記１４が印字された当たり券部３０とを形成し、貼着部２０と当たり券部３０との境界にミシン目１５を形成するように構成することにより、当たり券部３０を取り除く際に、パッケージ４０内に貼着された貼着部２０を剥がす必要がないため、粘着剤１２の選定が容易であると共に、当たり券部３０は、パッケージ４０内に貼着されていないため、パッケージ４０内から取り除いたキャンペーンラベル１０に粘着力が残存せず、きれいに管理することができるという効果を奏する。
【００２２】
（第２の実施の形態）
図５は、本発明に係るキャンペーンラベルの第２の実施の形態の構成を示す図であり、（ａ）は、表面側から見た平面図であり、（ｂ）は、（ａ）に示すＸ−Ｙ断面図である。
【００２３】
第２の実施の形態のキャンペーンラベル１０ａは、第１の実施の形態のようにラベル基材を折り返して第１のラベル片３１と第２のラベル片３２とが接合された当たり券部３０を形成するのではなく、図５を参照すると、第１のラベル片３１と第２のラベル片３２と異なるラベル基材で構成し、第１のラベル片３１と第２のラベル片３２とを疑似接着層１１によって接合していると共に、第１のラベル片３１が貼着部２０に延出することなく、ミシン目１５を境界とし、第２のラベル片３２のみが貼着部２０に繋がっている。
【００２４】
これにより、パッケージ４０に貼着されている貼着部２０からの当たり券部３０の切り離しを容易に行うことができると共に、疑似接着層１１を剥がすだけで第１のラベル片３１と第２のラベル片３２とを分離させることができる。
【００２５】
（第３の実施の形態）
図６は、本発明に係るキャンペーンラベルの第３の実施の形態の構成を示す図であり、（ａ）は、表面側から見た平面図であり、（ｂ）は、裏面側から見た平面図である。
【００２６】
第２の実施の形態のキャンペーンラベル１０ｂは、図６を参照すると、当たり券部３０と貼着部２０との境界が屈折線状、すなわち角度を変えて繋がっている複数の直線状になっており、当該境界に沿ってミシン目１５が形成されている。従って、当たり券部３０を図６（ａ）に示す方向にめくった場合でも、ミシン目１５の頂点部分から、ミシン目１５が切り離されることになり、めくる方向に左右されることなく、パッケージ４０に貼着されている貼着部２０からの当たり券部３０の切り離しを容易に行うことができる。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係るキャンペーンラベルの第１の実施の形態の構成を示す図であり、（ａ）は、表面側から見た平面図であり、（ｂ）は、（ａ）に示すＸ−Ｙ断面図である。
【図２】本発明に係るキャンペーンラベルの第１の実施の形態をパッケージ内に貼着した状態を示す斜視図である。
【図３】図１に示す貼着部と当たり券部とが切り離された状態を示す図で有り、（ａ）は、表面側から見た平面図であり、（ｂ）は、（ａ）に示すＸ−Ｙ断面図である。
【図４】図３に示す当たり券を開いた状態を示す図であり、（ａ）は、当たり券の表面および裏面を示す平面図であり、（ｂ）は、疑似接着層によって接合されていた面を示す平面図である。
【図５】本発明に係るキャンペーンラベルの第２の実施の形態の構成を示す図であり、（ａ）は、表面側から見た平面図であり、（ｂ）は、（ａ）に示すＸ−Ｙ断面図である。
【図６】本発明に係るキャンペーンラベルの第３の実施の形態の構成を示す図であり、（ａ）は、表面側から見た平面図であり、（ｂ）は、裏面側から見た平面図である。
【符号の説明】
【００２９】
１０  キャンペーンラベル（第１の実施の形態）
１０ａ  キャンペーンラベル（第２の実施の形態）
１０ｂ  キャンペーンラベル（第３の実施の形態）
１１  疑似接着層
１２  粘着剤
１３  剥離基材
１４  当たり表記
１５  ミシン目
１６  ミシン目
１７  案内表記
２０  貼着部
３０  当たり券部
３１  第１のラベル片
３２  第２のラベル片
【図１】
2010032710.tif 000003
【図２】
2010032710.tif 000004
【図３】
2010032710.tif 000005
【図４】
2010032710.tif 000006
【図５】
2010032710.tif 000007
【図６】
2010032710.tif 000008